(57)【要約】【課題】  挿入した状態で口を閉じることができるインプラント用トライアルゲージを提供する。【解決手段】  インプラント用トライアルゲージ１は、インプラント窩２２の形成方向を確認するためのものであり、ゲージ本体２と伸縮部材３とを備えている。ゲージ本体２は、軸線方向に延在しており、インプラント窩２２に挿入できるようになっている。また、ゲージ本体２には、所定方向に伸縮することができる伸縮部材３が設けられている。【選択図】      図１
2014204766.tif 000002
【特許請求の範囲】
【請求項１】
インプラント窩の形成方向を確認するためのインプラント用トライアルゲージであって、
所定方向に延在し、前記インプラント窩に挿入可能なゲージ本体と、
前記所定方向に伸縮可能に前記ゲージ本体に設けられている伸縮部材と、を備える、インプラント用トライアルゲージ。
【請求項２】
前記ゲージ本体は、前記所定方向に沿って延在する筒状の部材であり、
前記伸縮部材は、前記ゲージ本体の内周部に螺合されている、請求項１に記載のインプラント用トライアルゲージ。
【請求項３】
前記伸縮部材は、ストッパ部を有しており、
前記ストッパ部の外形寸法は、前記インプラント窩の外形寸法より大きくなっている、請求項１又は２に記載のインプラント用トライアルゲージ。
【請求項４】
前記伸縮部材は、前記ゲージ本体に伸縮可能に設けられ且つ基端部分が前記ゲージ本体から突出している本体部を有し、
前記ゲージ本体の前記内周部分の所定方向基端側には、係止部材が形成され、
前記ストッパ部は、前記本体部の基端部分に設けられ、
前記本体部の先端部分は、前記係止部材と係合するようになっている、請求項３に記載のインプラント用トライアルゲージ。
【請求項５】
前記伸縮部材は、脱落防止糸を挿入可能な脱落防止用孔を有している、請求項１乃至４に記載のインプラント用トライアルゲージ。
【発明の詳細な説明】
【技術分野】
【０００１】
本発明は、インプラント窩の形成方向を確認するためのインプラント用トライアルゲージに関する。
【背景技術】
【０００２】
顎骨に口腔インプラント（人工歯）を埋め込むインプラント治療では、インプラントを植立するべく顎骨にドリル等で孔を穿設してインプラント窩を形成する。インプラント窩は、顎骨に形成されているため、その深さ方向（形成方向）を目視にて把握することが難しい。そこで、デンタルフィルムにより撮影をして確認をしていたが、それでは２次元的確認に過ぎず、インプラント窩の形成方向を３次元的に確認することができない。そこで、コンピュータ断層撮影（Computed Tomography；略称ＣＴ）で口腔内を撮影し、画像によりインプラント窩を形成する歯槽骨の状態を３次元的に確認することがある。インプラント窩が形成される顎骨は表層に硬い皮質骨があり、内側は多孔質状の海綿骨になっている場合が多い。そのため、画像では、顎骨に形成されたインプラント窩が顎骨骨質と見分けにくくなっており、インプラント窩の形成方向を確認することが難しい。ＣＴの際にインプラント窩を見分け、またインプラント窩の形成方向を確認する方法として、例えば、ゲージを挿入した状態で撮影することが考えられる。ゲージとしては、特許文献１に記載されるような埋植窩形成方向指示部材が知られている。
【０００３】
特許文献１の埋植窩形成方向指示部材は、本体と埋植窩形成方向指示部とを有している。本体は、インプラント窩（埋植窩）に差し込みできるように構成されており、本体の上端部には、埋植窩形成方向指示部が取り付けられている。埋植窩形成方向指示部は、本体の上端部から上方に延在している。
【先行技術文献】
【特許文献】
【０００４】
【特許文献１】特開平８−２２４２５８号公報
【発明の概要】
【発明が解決しようとする課題】
【０００５】
特許文献１の埋植窩形成方向指示部材は、予め形成されたインプラント窩の隣に新たに形成するインプラント窩の形成方向を指示するために用いられている。そのため、埋植窩形成方向指示部は、長く形成されていることが好ましく、インプラント窩から大きく飛び出す。それ故、埋植窩形成方向指示部材をインプラント窩に差し込むと、上下の歯を噛み合わせることができない。しかし、ＣＴでは、上下の歯を噛み合わせて閉口に近い状態にして上顎及び下顎を固定して撮影する必要がある場合が多く、特許文献１の埋植窩形成方向指示部材は、ＣＴで用いることができない場合が多い。
【０００６】
そこで本件発明は、挿入したまま閉口に近い状態にすることができるインプラント用トライアルゲージを提供することを目的としている。
【課題を解決するための手段】
【０００７】
本発明のインプラント用トライアルゲージは、インプラント窩の形成方向を確認するためのインプラント用トライアルゲージであって、所定方向に延在し、前記インプラント窩に挿入可能なゲージ本体と、前記所定方向に伸縮可能に前記ゲージ本体に設けられている伸縮部材と、を備えるものである。
【０００８】
本発明に従えば、ゲージ本体の長さをインプラント窩の深さに応じた長さに調整することができる。これにより、インプラント用トライアルゲージをインプラント窩に挿入したまま閉口に近い状態にすることができる。
【０００９】
上記発明において、前記ゲージ本体は、前記所定方向に沿って延在する筒状の部材であり、前記伸縮部材は、前記ゲージ本体の内周部に螺合されていることが好ましい。
【００１０】
上記構成に従えば、伸縮部材を回すだけの操作でインプラント用トライアルゲージの長さを調整できるので、インプラント用トライアルゲージの長さ調整が容易である。これにより、インプラント用トライアルゲージの長さを所定の長さに調整してインプラント窩に挿入することで、インプラント窩の深度を測定することができる。
【００１１】
上記発明において、前記伸縮部材は、ストッパ部を有しており、前記ストッパ部の外形寸法は、前記インプラント窩の外形寸法より大きくなっていることが好ましい。
【００１２】
上記構成に従えば、インプラント窩が形成されている顎骨の歯槽骨の辺縁にストッパ部が当たり、インプラント窩内に落ちることを防ぐことができる。
【００１３】
上記発明において、前記伸縮部材は、前記ゲージ本体に伸縮可能に設けられ且つ基端部分が前記ゲージ本体から突出している本体部を有し、前記ゲージ本体の前記内周部分の所定方向基端側には、係止部材が形成され、前記ストッパ部は、前記本体部の基端部分に設けられ、前記本体部の先端部分は、前記係止部材と係合するようになっていることが好ましい。
【００１４】
上記構成に従えば、伸縮部材を伸長させていくと本体部の先端部分がゲージ本体の係止部材と係合し、逆に伸縮部材を縮退させていくと本体部の基端部分に設けられているストッパ部がゲージ本体の開口端部に当接する。それ故、伸縮部材の伸縮動作によって伸縮部材がゲージ本体から抜けることがなく、口腔内における意図しないゲージの分解を防ぐことができる。
【００１５】
上記発明において、脱落防止糸を挿入可能な脱落防止用孔を有していることが好ましい。
【００１６】
上記構成に従えば、脱落防止用孔に脱落防止糸を通すことで、手術中にインプラント用トライアルゲージを紛失したり迷入したりすることを防ぐことができる。
【発明の効果】
【００１７】
本発明によれば、インプラント用トライアルゲージを挿入したまま閉口に近い状態にすることができる。
【図面の簡単な説明】
【００１８】
【図１】本発明の第１実施形態に係るインプラント用トライアルゲージを示す斜視図である。
【図２】図１のインプラント用トライアルゲージを示す断面図である。
【図３】図２のインプラント用トライアルゲージを伸縮させた状態を示す断面図である。
【図４】図１のインプラント用トライアルゲージをインプラント窩に差し込んだ状態を示す図である。
【図５】本発明の第２実施形態に係るインプラント用トライアルゲージを示す斜視図である。
【発明を実施するための形態】
【００１９】
以下では、本発明の第１及び第２実施形態に係るインプラント用トライアルゲージ（以下、「ゲージ」ともいう）１を図１乃至図５を参照しながら説明する。本発明は、以下に説明する実施の形態に限定されず、発明の趣旨を逸脱しない範囲で追加、削除、及び変更が可能である。
【００２０】
＜第１実施形態＞
顎骨にインプラント（人工歯）を埋め込むインプラント治療では、インプラントを埋め込むためにインプラント窩を顎骨に開け、インプラント窩の形状、方向、及び深度を確認すべく口腔内のコンピュータ断層撮影（Computed Tomography；略称ＣＴ）が行われる。この際、インプラント窩の形状、形成方向、及び深度を３次元的に測定するために図１に示すゲージ１が用いられる。
【００２１】
ゲージ１は、チタン又はチタン合金によって構成されている。なお、ゲージ１は、オートクレーブによる高圧高温殺菌に耐え得る耐熱耐圧性能を有するステンレス鋼や、耐熱耐圧性能及びレントゲン不透過性を有する合成樹脂（例えば、金属粉やバリウムを含有する耐熱樹脂）であってもよい。ゲージ１は、ゲージ本体２と伸縮部材３とを備えている。ゲージ本体２は、大略円筒状になっており、軸線Ｌ１に沿って延在している。ゲージ本体２の外径は、例えば２ｍｍ以上４ｍｍ以下になっている。このような外形を有するゲージ本体２は、軸線方向両端部にフランジ２ａ，２ｂを有しており、２つのフランジ部２ａ，２ｂは、周方向全周にわたって延在し且つ半径方向外方に突出している。また、ゲージ本体２の内周部２ｃは、軸線方向の基端部分に係止部材４を有している。係止部材４は、内周部２ｃの周方向全周にわたって形成されており、半径方向内方に突出している。即ち、係止部材４の内径が残余部分の内径に比べて小径になっている。この係止部材４の内周部には、雌ねじ５が形成されており、図２に示すようにこの雌ねじ５に伸縮部材３が螺合されている。
【００２２】
伸縮部材３は、本体部１０と、ストッパ部１１とを有している。本体部１０は、大略円柱状になっており、軸線方向に延在している。本体部１０の外周部の中間部分に雄ねじ１２が形成されており、雄ねじ１２が雌ねじ５に螺合されている。それ故、本体部１０を周方向に回転させることで、本体部１０がゲージ本体２に対して伸長及び縮退するようになっている（図２及び３参照）。また、本体部１０の先端部分１３の外径は、雄ねじ１２より大径に形成されており、ゲージ本体２の内周部２ｃの内径と略一致している。即ち、本体部１０の先端部分１３の外径は、係止部分４の内径より大径に形成されている。それ故、本体部１０の先端部分１３は、ゲージ本体２に対して本体部１０を伸長させると係止部材４と係合するようになっており、伸長させたときに本体部１０がゲージ本体２から抜けないようになっている。また、本体部１０の軸線方向基端部分には、ストッパ部１１が設けられている。
【００２３】
ストッパ部１１は、大略有底円筒状に形成されており、その内孔１１ａに本体部１０の軸線方向基端部分が圧入されて固定されている。なお、本体部１０の軸線方向基端部分をストッパ部１１に螺合してかしめることによって固定してもよい。ストッパ部１１の外径は、ゲージ本体２の外径より大径に形成されている。それ故、ストッパ部１１は、ゲージ本体２に対して本体部１０を縮退させるとゲージ本体２の開口端部２ｄに当接するようになっており、縮退させたときに本体部１０がゲージ本体２から抜けないようになっている。また、ストッパ部１１には、軸線Ｌ１に垂直な方向に延在する脱落防止用孔１６が形成されている。脱落防止用孔１６には、脱落防止用の糸が挿通され、脱落防止用の糸を把持しておくことで口腔内にゲージ１が脱落することを防ぐことができる。これにより、手術中にゲージ１を紛失したり迷入したりすることを防ぐことができる。
【００２４】
このようにして構成されているゲージ１の組み立て方について説明すると、まずゲージ本体２の軸線方向先端側の開口から本体部１０の軸線方向基端部分を挿入する。そして、本体部１０の軸線方向基端部分が係止部材４に当接したところで、本体部１０を周方向に回転させて雄ねじ１２が雌ねじ５に螺合させる。螺合させた後も更に本体部１０を周方向に回転させて本体部１０の軸線方向基端部分をゲージ本体２の軸線方向他端側から突出させる。突出させた後、ストッパ部１１の内孔１１ａに本体部１０の軸線方向基端部分を圧入し、本体部１０にストッパ部１１を固定する。このようにして組み立てられたゲージ１は、本体部１０を周方向に回転させることによって本体部１０がゲージ本体２に対して伸長及び縮退させて、伸縮部材３の伸縮量を調整することができる（図２及び３参照）。
【００２５】
以下では、顎骨（本実施形態では下顎骨）２１に形成されているインプラント窩２２の形成方向をゲージ１を用いて確認する方法について図４も参照しながら説明する。ゲージ１は、例えば２ｍｍ以上４ｍｍ以下の範囲内の様々な外径寸法で形成されており、まず、インプラント窩２２の孔径に合った外径寸法のゲージ１を選択する。次に、インプラント窩２２の深さに応じて伸縮部材３を伸長又は縮退して、伸縮部材３の伸縮量を調整する。そして、伸縮量を調整したゲージ１をインプラント窩２２に挿入する（図４参照）。
【００２６】
ゲージ１は、ゲージ本体２の先端側部分にフランジ部２ａを有しており、フランジ部２ａの外径がインプラント窩２２の先端部分の内径より若干大きいものが選択される。これにより、フランジ部２ａを顎骨２１に当接させて、顎骨２２にゲージ１を挟持させている。これにより、ゲージ１をインプラント窩２２に挿入して押し込むことで、ゲージ１をインプラント窩２２内にて固定させることができる。このように固定することができるので、インプラント窩が上顎骨に形成されている場合でもゲージ１がインプラント窩２２から抜け落ちることなく、ＣＴを行うことができる。
【００２７】
このようにして固定されたゲージ１の全長は、前述の通りインプラント窩２２の深さに応じて予め調整されており、その長さはインプラント窩２２の深さより長くなるように調整されている。具体的には、ストッパ部１１がインプラント窩２２から突出する、つまり顎骨２１から突出するようになっている。ゲージ１は、ストッパ部１１の外径がインプラント窩２２の孔径より大きいものが選択される。それ故、ストッパ部１１が顎骨２１の歯槽骨の辺縁に当たり、インプラント窩２２内に落ちることを防ぐことができる。上顎骨にインプラント窩を形成する場合では、インプラント窩が上顎骨を貫通して上顎洞に繋がることがある。このような場合でも、ストッパ部１１が顎骨２１の歯槽骨の辺縁に当たり、ゲージ１が上顎洞に落ちることを防ぐことができる。それ故、上顎骨を貫通して上顎洞に繋がったインプラント窩の形成方向を確認する際に特に有用である。
【００２８】
また、伸縮部材３を伸縮することによって、ゲージ１の全長をストッパ部１１が咬合面から突出しないように調整することができる。これにより、ゲージ１をインプラント窩２２に挿入したまま閉口に近い状態にすることができ、上顎及び下顎を咬合位に固定してＣＴで撮影することができる。それによりインプラント窩の形成方向を３次元的に確認できる。
【００２９】
このようにゲージ１では、ゲージ本体２と伸縮部材３とを螺合させて伸縮可能に構成さているので、伸縮部材３を回動させることでゲージ本体２に対する伸縮部材３の伸縮量を調整することができる。即ち、伸縮部材３を回動させることでゲージ１の長さを調整することができる。このように伸縮部材３を回すだけの操作でゲージ１の長さを調整できるので、ゲージ１の長さ調整が容易である。それ故、ＣＴで撮影する際、ゲージ１の長さを頻度が高い８〜１２ｍｍに予め調整してインプラント窩に挿入することで、ゲージ１によりインプラント窩のおおよその深度を測定することができる。なお、ゲージ１の長さは、例えば最少２ｍｍ〜最大１６ｍｍまで調整することができ、その範囲で測定することが可能である。但し、ゲージ１の調整可能な長さは、前記範囲に限定されるものではない。
【００３０】
なお、ゲージ１では、図示しないが、ゲージ本体２の外周部に周方向全周に渡ってマーク（例えば、マーカ溝）が付けられていてもよい。これにより、形成方向だけでなく、インプラント窩２２の深さも測定することができる。また、周方向全周にわたってマークを付すことによって、ゲージ本体２の先端からの距離が四方から分かりやすく、測定時におけるゲージ本体２の向きが限定されない。従って、インプラント窩の深さを容易に測定することができる。
【００３１】
更に、ゲージ１では、伸縮部材３を伸長させていくと伸縮部材３の本体部１０の先端部分１３がゲージ本体２の係止部材４と係合し、逆に伸縮部材３を縮退させていくと本体部１０の基端部分に設けられているストッパ部１１がゲージ本体２の開口端部２ｄに当接するようになっている。それ故、伸縮部材３の伸縮動作によって伸縮部材３がゲージ本体２から抜けることがなく、口腔内における意図しないゲージ１の分解を防ぐことができる。
【００３２】
［第２実施形態］
第２実施形態のゲージ１Ａは、第１実施形態のゲージ１と構成が類似している。以下では、第２実施形態のゲージ１Ａの構成について、第１実施形態のゲージ１の構成と異なる点についてだけ説明し、同一の構成についてはその説明を省略する。
【００３３】
第２実施形態のゲージ１Ａは、ゲージ本体２Ａと伸縮部材３Ａとを有している。ゲージ本体２Ａは、大略円筒状になっており、その外周部には、伸縮用溝３１と、複数の係合溝３２が形成されている。伸縮用溝３１及び複数の係合溝３２は、ゲージ本体２Ａを半径方向に貫通している。伸縮用溝３１は、ゲージ本体２の先端から中間部分まで軸線方向に平行に延在しており、複数の係合溝３２に繋がっている。複数の係合溝３２は、外周部の中間部分に軸線方向に間隔をあけて配置されている、各係合溝３２は、伸縮用溝３１から周方向一方に延在している
【００３４】
伸縮部材３Ａの本体部１０Ａは、大略円柱状になっており、軸線方向に相対変位可能にゲージ本体２Ａに挿通されている。本体部１０Ａの先端部分１３は、本体部１０Ａを伸長させるとゲージ本体２の係止部材４と係合するようになっており、本体部１０Ａの基端部分には、ストッパ部１１が設けられている。また、本体部１０Ａの外周部分には、大略断面円形状の係合突起部３３が形成されており、係合突起部３３は、半径方向外方に向かって突出している。係合突起部３３の外径は、伸縮用溝３１及び係合溝３２より小径になっており、係合突起部３３は、伸縮用溝３１に配置されている。係合突起部３３は、伸縮部材３Ａを伸縮させると伸縮用溝３１を軸線方向に移動するようになっており、係合突起部３３は、伸縮部材３Ａを回動させると各係合溝３２を周方向に移動するようになっている。
【００３５】
このように構成されているゲージ１Ａでは、伸縮用溝３１と係合溝３２とが交わっている位置が複数あり、それら複数の位置のうち所望の伸縮量となる位置に係合突起部３３が達するまで伸縮部材３Ａを伸縮させる。達した後、伸縮部材３Ａを周方向一方に回動させると係合突起部３３が係合溝３２に入って係合する。これにより、伸縮部材３Ａをロックすることができ、伸縮部材３を所望の伸縮量で突出させることができる。即ち、ゲージ１Ａを所望の長さにすることができる。
【００３６】
このように長さを調整することができるゲージ１Ａは、第一実施形態のゲージ１Ａと同様の方法で使用することができ、同様の効果を奏する。
【００３７】
［その他の実施形態］
本実施形態のゲージ１，１Ａの外形は、大略円柱状に形成されているが、この形状に限らない。ゲージ１，１Ａの外形は、楕円状や多角形状であってもよく、インプラント窩に嵌るような形状であればよい。また、ゲージ１，１Ａは、上述するような材料に限定されない。
【符号の説明】
【００３８】
１  インプラント用トライアルゲージ
２  ゲージ本体
３  伸縮部材
４  係止部材
１０  本体部
１１  ストッパ部
１３  先端部分
１６  装着孔
１７  操作部材
【図１】
2014204766.tif 000003
【図２】
2014204766.tif 000004
【図３】
2014204766.tif 000005
【図４】
2014204766.tif 000006
【図５】
2014204766.tif 000007
【手続補正書】
【提出日】平成26年8月9日(2014.8.9)
【手続補正１】
【補正対象書類名】特許請求の範囲
【補正対象項目名】全文
【補正方法】変更
【補正の内容】
【特許請求の範囲】
【請求項１】
インプラントを埋め込むために開けられるインプラント窩の形成方向を確認するために用いられるインプラント用トライアルゲージであって、
所定方向に延在し、前記インプラント窩に挿入可能なゲージ本体と、
前記所定方向に伸縮可能に前記ゲージ本体の内周部に設けられている伸縮部材と、を備える、インプラント用トライアルゲージ。
【請求項２】
前記ゲージ本体は、前記所定方向に沿って延在する筒状の部材であり、
前記伸縮部材は、前記ゲージ本体の前記内周部に螺合されている、請求項１に記載のインプラント用トライアルゲージ。
【請求項３】
前記伸縮部材は、ストッパ部を有しており、
前記ストッパ部の外形寸法は、前記インプラント窩の外形寸法より大きくなっている、請求項１又は２に記載のインプラント用トライアルゲージ。
【請求項４】
前記伸縮部材は、前記ゲージ本体に伸縮可能に設けられ且つ基端部分が前記ゲージ本体から突出している本体部を有し、
前記ゲージ本体の前記内周部の所定方向基端側には、係止部材が形成され、
前記ストッパ部は、前記本体部の基端部分に設けられ、
前記本体部の先端部分は、前記係止部材と係合して前記本体部が前記ゲージ本体から抜けないようになっている、請求項３に記載のインプラント用トライアルゲージ。
【請求項５】
前記伸縮部材は、脱落防止糸を挿入可能な脱落防止用孔を有している、請求項１乃至４に記載のインプラント用トライアルゲージ。